(57)【要約】【課題】操作パネルの誤操作を防止することができる電気機器を提供することを目的とする。【解決手段】設置面上に設置される機器本体の上面または周面にタッチ面を有してタッチ操作される操作パネル４０を備えた冷蔵庫１において、操作パネル４０が、タッチ面上の左右方向に並設される静電容量式の第１電極４６ａ及び第２電極４６ｂと、第１電極４６ａ及び第２電極４６ｂの静電容量の変化を検知するセンサ素子７３と、第１電極４６ａから導出して左右方向の第２電極４６ｂ側に延びるとともにセンサ素子７３に接続される第１配線７１ａと、第２電極４６ｂから導出して左右方向の第１電極４６ａとは反対側に延びるとともにセンサ素子７３に接続される第２配線７１ｂとを有し、第１電極４６ａ及び第２電極４６ｂのオン状態を検出した際に、第２電極４６ｂの操作と判断する。【選択図】図７
2018054261.tif 000002
【特許請求の範囲】
【請求項１】
設置面上に設置される機器本体の上面または周面にタッチ面を有してタッチ操作される操作パネルを備えた電気機器において、前記操作パネルが、前記タッチ面上の左右方向に並設される静電容量式の第１電極及び第２電極と、前記第１電極及び前記第２電極の静電容量の変化を検知するセンサ素子と、前記第１電極から導出して左右方向の前記第２電極側に延びるとともに前記センサ素子に接続される第１配線と、前記第２電極から導出して左右方向の前記第１電極とは反対側に延びるとともに前記センサ素子に接続される第２配線とを有し、前記第１電極及び前記第２電極のオン状態を検出した際に、前記第２電極の操作と判断することを特徴とする電気機器。
【請求項２】
設置面上に設置される機器本体の上面または周面にタッチ面を有してタッチ操作される操作パネルを備えた電気機器において、前記操作パネルが、前記タッチ面上の左右方向に並設される静電容量式の第１電極及び第２電極と、前記第１電極及び前記第２電極の静電容量の変化を検知するセンサ素子と、前記第１電極から導出して左右方向の前記第２電極側に延びるとともに前記センサ素子に接続される第１配線と、前記第２電極から導出して左右方向の前記第１電極とは反対側に延びるとともに前記センサ素子に接続される第２配線とを有し、前記センサ素子の前記第２電極に対する感度が前記第１電極に対する感度よりも高いことを特徴とする電気機器。
【請求項３】
前記第１配線及び前記第２配線が前記第１電極の奥側または上方に配されることを特徴とする請求項１または請求項２に記載の電気機器。
【請求項４】
設置面上に設置される機器本体の上面または周面にタッチ面を有してタッチ操作される操作パネルを備えた電気機器において、前記操作パネルが、前記タッチ面上の前後方向または上下方向に並設される静電容量式の第１電極及び第２電極と、前記第１電極及び前記第２電極の静電容量の変化を検知するセンサ素子と、前記第１電極から導出して前記センサ素子に接続される第１配線と、前記第２電極から導出して前記センサ素子に接続される第２配線とを有し、前記第１電極が前記第２電極の手前側または下方に配されるとともに、前記第１電極及び前記第２電極のオン状態を検出した際に、前記第２電極の操作と判断することを特徴とする電気機器。
【請求項５】
設置面上に設置される機器本体の上面または周面にタッチ面を有してタッチ操作される操作パネルを備えた電気機器において、前記操作パネルが、前記タッチ面上の前後方向または上下方向に並設される静電容量式の第１電極及び第２電極と、前記第１電極及び前記第２電極の静電容量の変化を検知するセンサ素子と、前記第１電極から導出して前記センサ素子に接続される第１配線と、前記第２電極から導出して前記センサ素子に接続される第２配線とを有し、前記第１電極が前記第２電極の手前側または下方に配されるとともに、前記センサ素子の前記第２電極に対する感度が前記第１電極に対する感度よりも高いことを特徴とする電気機器。
【請求項６】
前記第１配線が前記第１電極から奥側または上方に延び、前記第２配線が前記第２電極から奥側または上方に延びることを特徴とする請求項４または請求項５に記載の電気機器。
【請求項７】
隣接する前記第１配線と前記第２配線との間に接地線が設けられることを特徴とする請求項１〜請求項６のいずれかに記載の電気機器。
【請求項８】
前記第１電極の前記第２電極側の端縁から前記第２電極の中心までの距離がタッチ操作される通常の手指の幅の１／２の長さよりも大きいことを特徴とする請求項１〜請求項７のいずれかに記載の電気機器。
【発明の詳細な説明】
【技術分野】
【０００１】
本発明は、タッチ操作される操作パネルを備えた電気機器に関する。
【背景技術】
【０００２】
従来の冷蔵庫は特許文献１に開示される。この冷蔵庫は断熱箱体の側端に枢支された扉によって前面が開閉され、扉の前面にタッチ面を有する操作パネルが配されている。
【０００３】
操作パネルはタッチ面上の左右方向に静電容量式の電極が複数並設されている。各電極から導出する配線は電極の静電容量の変化を検知するセンサ素子に接続されている。また、配線は電極の上方に導出されている。
【０００４】
ユーザーが手指でタッチ面上に触れると、その位置に対応する電極の静電容量が変化して、配線を介してセンサ素子がこれを検知する。これにより、操作パネルがユーザーにより操作されたことを判断する。
【０００５】
このとき、配線は電極の上方に導出されているため、タッチ面をタッチする際に隣接する電極から導出された配線上に手指が意図せずに触れるのを防ぐことができる。従って、複数の電極がオン状態にあると誤検出されるのを防止して目的外の電極が誤操作されるのを防止することができる。
【先行技術文献】
【特許文献】
【０００６】
【特許文献１】特開２０１２−２１６９６号公報
【発明の概要】
【発明が解決しようとする課題】
【０００７】
しかしながら、上記特許文献１に開示された操作パネルによると、手指が上方にずれて配線上に接触した場合や接近した場合に、複数の電極のオン状態が検出されて目的外の電極が誤操作される問題があった。
【０００８】
また、電極が上下方向に複数並設された場合に、上方の電極を操作する際に下方の電極上に手指が近接する。このため、複数の電極のオン状態が検出されて目的外の電極が誤操作される問題があった。
【０００９】
本発明は、操作パネルの誤操作を防止することができる電気機器を提供することを目的とする。
【課題を解決するための手段】
【００１０】
上記目的を達成するために本発明は、設置面上に設置される機器本体の上面または周面にタッチ面を有してタッチ操作される操作パネルを備えた電気機器において、前記操作パネルが、前記タッチ面上の左右方向に並設される静電容量式の第１電極及び第２電極と、前記第１電極及び前記第２電極の静電容量の変化を検知するセンサ素子と、前記第１電極から導出して左右方向の前記第２電極側に延びるとともに前記センサ素子に接続される第１配線と、前記第２電極から導出して左右方向の前記第１電極とは反対側に延びるとともに前記センサ素子に接続される第２配線とを有し、前記第１電極及び前記第２電極のオン状態を検出した際に、前記第２電極の操作と判断することを特徴としている。
【００１１】
また、本発明は、設置面上に設置される機器本体の上面または周面にタッチ面を有してタッチ操作される操作パネルを備えた電気機器において、前記操作パネルが、前記タッチ面上の左右方向に並設される静電容量式の第１電極及び第２電極と、前記第１電極及び前記第２電極の静電容量の変化を検知するセンサ素子と、前記第１電極から導出して左右方向の前記第２電極側に延びるとともに前記センサ素子に接続される第１配線と、前記第２電極から導出して左右方向の前記第１電極とは反対側に延びるとともに前記センサ素子に接続される第２配線とを有し、前記センサ素子の前記第２電極に対する感度が前記第１電極に対する感度よりも高いことを特徴としている。
【００１２】
また、本発明は上記構成の電気機器において、前記第１配線及び前記第２配線が前記第１電極の奥側または上方に配されることを特徴としている。
【００１３】
また、本発明は、設置面上に設置される機器本体の上面または周面にタッチ面を有してタッチ操作される操作パネルを備えた電気機器において、前記操作パネルが、前記タッチ面上の前後方向または上下方向に並設される静電容量式の第１電極及び第２電極と、前記第１電極及び前記第２電極の静電容量の変化を検知するセンサ素子と、前記第１電極から導出して前記センサ素子に接続される第１配線と、前記第２電極から導出して前記センサ素子に接続される第２配線とを有し、前記第１電極が前記第２電極の手前側または下方に配されるとともに、前記第１電極及び前記第２電極のオン状態を検出した際に、前記第２電極の操作と判断することを特徴としている。
【００１４】
また本発明は、設置面上に設置される機器本体の上面または周面にタッチ面を有してタッチ操作される操作パネルを備えた電気機器において、前記操作パネルが、前記タッチ面上の前後方向または上下方向に並設される静電容量式の第１電極及び第２電極と、前記第１電極及び前記第２電極の静電容量の変化を検知するセンサ素子と、前記第１電極から導出して前記センサ素子に接続される第１配線と、前記第２電極から導出して前記センサ素子に接続される第２配線とを有し、前記第１電極が前記第２電極の手前側または下方に配されるとともに、前記センサ素子の前記第２電極に対する感度が前記第１電極に対する感度よりも高いことを特徴としている。
【００１５】
また、本発明は上記構成の電気機器において、前記第１配線が前記第１電極から奥側または上方に延び、前記第２配線が前記第２電極から奥側または上方に延びることを特徴としている。
【００１６】
また、本発明は上記構成の電気機器において、隣接する前記第１配線と前記第２配線との間に接地線が設けられることを特徴としている。
【００１７】
また、本発明は上記構成の電気機器において、前記第１電極、前記第２電極、前記第１配線及び前記第２配線がフレキシブル基板上にパターン形成されるとともに、前記センサ素子を実装して前記フレキシブル基板の裏側に配される回路基板を備え、前記フレキシブル基板が前記第１配線及び前記第２配線上で屈曲して前記回路基板に接続されることを特徴としている。
【００１８】
また、本発明は上記構成の電気機器において、前記第１電極の前記第２電極側の端縁から前記第２電極の中心までの距離がタッチ操作される通常の手指の幅の１／２の長さよりも大きいことを特徴としている。
【発明の効果】
【００１９】
本発明によると、第１電極及び第２電極が左右方向に並設され、第１配線が第１電極から第２電極側に延びて第２配線が第２電極から第１電極の反対側に延びる。そして、第１電極及び第２電極のオン状態を検出した際に、第２電極の操作と判断する。これにより、第２電極の操作時に手指が第１配線に接触または近接してもユーザーが意図していない第１電極の操作と判断されない。従って、操作パネルの誤操作を防止することができる。
【００２０】
また、本発明によると、第１電極及び第２電極が左右方向に並設され、第１配線が第１電極から第２電極側に延びて第２配線が第２電極から第１電極の反対側に延びる。そして、センサ素子の第２電極に対する感度が第１電極に対する感度よりも高い。これにより、第２電極の操作時に手指が第１配線に接触または近接しても第２電極がオン状態と判断され、第１電極がオフ状態と判断される。従って、ユーザーが意図していない第１電極の操作と判断されないため、操作パネルの誤操作を防止することができる。
【００２１】
また、本発明によると、第１電極及び第２電極が前後方向または上下方向に並設され、第２電極の手前側または下方に第１電極が配される。そして、第１電極及び第２電極のオン状態を検出した際に、第２電極の操作と判断する。これにより、第２電極の操作時に手指が第１電極に接触または近接してもユーザーが意図していない第１電極の操作と判断されない。従って、操作パネルの誤操作を防止することができる。
【００２２】
また、本発明によると、第１電極及び第２電極が前後方向または上下方向に並設され、第２電極の手前側または下方に第１電極が配される。そして、センサ素子の第２電極に対する感度が第１電極に対する感度よりも高い。これにより、第２電極の操作時に手指が第１電極配線に接触または近接しても第２電極がオン状態と判断され、第１電極がオフ状態と判断される。従って、ユーザーが意図していない第１電極の操作と判断されないため、操作パネルの誤操作を防止することができる。
【図面の簡単な説明】
【００２３】
【図１】本発明の第１実施形態の冷蔵庫を示す正面図。
【図２】本発明の第１実施形態の冷蔵庫を示す側面断面図。
【図３】本発明の第１実施形態の冷蔵庫の収納室を示す正面図。
【図４】本発明の第１実施形態の冷蔵庫の収納室を示す上面断面図。
【図５】図４の要部詳細図。
【図６】本発明の第１実施形態の冷蔵庫の収納室の一部を示す上面断面図。
【図７】本発明の第１実施形態の冷蔵庫の電極シートの一部を示す平面図。
【図８】本発明の第１実施形態の冷蔵庫の構成を示すブロック図。
【図９】本発明の第１実施形態の冷蔵庫の電極シートの一部を示す平面図。
【図１０】本発明の第２実施形態の冷蔵庫の電極シートの一部を示す平面図。
【図１１】本発明の第３実施形態の冷蔵庫の電極シートの一部を示す平面図。
【発明を実施するための形態】
【００２４】
＜第１実施形態＞
【００２５】
以下に本発明の実施形態を図面を参照して説明する。図１、図２は第１実施形態の冷蔵庫１を示す正面図、側面断面図である。冷蔵庫１（電気機器）は本体部を形成する断熱箱体２の上部に冷蔵室３が配され、下部に冷凍室４が配される。
【００２６】
冷蔵室３の前面は断熱箱体２の左右端でそれぞれ枢支される観音開きの扉５、６によって開閉される。冷凍室４の前面は断熱箱体２の左右端でそれぞれ枢支される観音開きの扉７、８によって開閉される。扉５〜８の前面はガラス板１１で覆われ、容易に清掃できるとともに冷蔵庫１の美観を向上することができる。
【００２７】
また、扉５には収納室３０が設けられ、収納室３０内にはタッチ面を前面に配してタッチ操作される操作パネル４０が配される。
【００２８】
図３、図４は収納室３０の正面図及び上面断面図を示している。また、図５は図４の要部詳細図を示している。収納室３０は扉５の前面に凹設され、ガラス板１１により前面を覆われる。
【００２９】
収納室３０にはリード線が接続されたコネクタ（不図示）が配される。コネクタには操作パネル４０の挿入によって回路基板４８に設けた端子部（不図示）が接続される。リード線は本体部（不図示）内に設けられる電装部（不図示）から導出され、扉５の枢支軸を形成するシャフト（不図示）に挿通して扉５内に引き出される。
【００３０】
操作パネル４０は背面側から順に回路基板４８、スペーサ４９、導光板５０、電極シート４６を配置して形成され、表示部４１及び操作部４５を備えている。表示部４１は表示パネル４２及び複数の表示アイコン４３を有している。操作部４５は運転モードや冷却温度等を設定する複数の操作キー４５ａ〜４５ｄを有している。
【００３１】
回路基板４８は光源５１、光源４４、表示パネル４２及びセンサ素子７３（図６参照）を実装するとともにこれらの駆動回路を実装する。
【００３２】
スペーサ４９は回路基板４８と導光板５０とを所定の間隔に維持し、光源４４が収納される開口部４９ａを有している。導光板５０は平面視矩形のアクリル等の透明樹脂により形成され、両側端面の入射面５０ａに対向して光源５１が配置される。光源５１の出射光は入射面５０ａから導光板５０に入射して導光する。
【００３３】
導光板５０の背面には調光シート４７が配される。調光シート４７により回路基板４８が遮蔽され、開口部４９ａを介した回路基板４８の視認が防止される。また、調光シート４７には各表示アイコン４３及び各操作キー４５ａ〜４５ｄを形成する記号や文字等の図柄が印刷される。
【００３４】
表示アイコン４３は調光シート４７の背後にそれぞれ対応して設けられた光源４４の発光によって点灯する。
【００３５】
図６は収納室３０の一部を示す側面断面図であり、図７は電極シート４６の一部を示す平面図である。電極シート４６は静電容量式の電極４６ａ〜４６ｄ、配線７１ａ〜７１ｄ、接地領域７４及び接地線７０をパターン形成したフレキシブル基板から成っている。また、配線７１ａ〜７１ｄは一端が電極４６ａ〜４６ｄに夫々接続され、他端が配線コネクタ７２に接続されている。
【００３６】
電極４６ａ〜４６ｄは左右方向に並設され、電極４６ａ〜４６ｄは夫々操作キー４５ａ〜４５ｄに対応する位置に配されている。
【００３７】
各電極４６ａ〜４６ｄの中心から隣接する電極４６ａ〜４６ｄの端縁までの距離Ｄがタッチ操作される通常の手指の幅Ｗの１／２の長さよりも大きく形成される。隣接する各電極４６ａ〜４６ｄの間には接地領域７４が形成されている。これにより、所望の電極４６ａ〜４６ｄを操作する際に、隣接する電極４６ａ〜４６ｄと手指との接触を防止することができる。
【００３８】
配線７１ａ〜７１ｄは電極４６ａ〜４６ｄの上方を通過しており、電極４６ａ〜４６ｄの上部から導出されて左方向に延びている。即ち、電極４６ａから導出される配線７１ａは左右方向の電極４６ｂ側に延びる。電極４６ｂから導出される配線７１ｂは左右方向の電極４６ｃ側（電極４６ａの反対側）に延びる。電極４６ｃから導出される配線７１ｃは左右方向の電極４６ｄ側（電極４６ｂの反対側）に延びる。電極４６ｄから導出される配線７１ｄは左右方向の電極４６ｃの反対側に延びる。
【００３９】
接地線７０は接地領域７４に連続し、隣接する各配線７１ａ〜７１ｄ間に設けられている。
【００４０】
電極シート４６はフレキシブル基板であり、電極シート４６は配線７１ａ〜７１ｄ上で屈曲して配線コネクタ７２を介して回路基板４８上のセンサ素子７３に接続されている。
【００４１】
図８は冷蔵庫１の構成を示すブロック図である。制御部２０には光源４４、５１、表示パネル４２、センサ素子７３、記憶部２６が接続される。
【００４２】
記憶部２６は不揮発性のＥＥＰＲＯＭ等から成り、各種運転モードの運転プログラムが記憶されている。また、記憶部２６にはいずれの運転モードが設定されているかの情報が記憶される。
【００４３】
制御部２０は操作部４５からの操作に基づいて所定の動作を実行する。各操作キー４５ａ〜４５ｄにガラス板１１を介して手指を近接または接触させると、その位置に対応する電極４６ａ〜４６ｄの静電容量が変化する。センサ素子７３は電極４６ａ〜４６ｄの静電容量の変化量が所定の閾値を超えている場合にオン状態の信号を制御部２０に送る。この信号に従って制御部２０はオン状態の操作キー４５ａ〜４５ｄに対応する動作を実行する。
【００４４】
一方、センサ素子７３が検出した静電容量の変化量が閾値を超えていない場合は制御部２０にオン状態の信号が送信されず、制御部２０はオフ状態と認識して動作を実行しない。
【００４５】
また、各配線７１ａ〜７１ｄは各電極４６ａ〜４６ｄに導通するため、配線７１ａ〜７１ｄ上をタッチ操作されるとセンサ素子７３が対応する各電極４６ａ〜４６ｄの静電容量の変化として検知する。このため、電極４６ａ〜４６ｄを操作する際に手指が上方にずれて配線７１ａ〜７１ｄに接触するとセンサ素子７３から複数の電極４６ａ〜４６ｄのオン状態の信号を制御部２０に送信する。
【００４６】
このとき、制御部２０はオン状態にあると信号を受けた複数の電極のうち左方（各電極４６ａ〜４６ｄから導出された配線７１ａ〜７１ｄが延びる方向）に配される電極の操作と判断する。
【００４７】
例えば、図９に示すように、ユーザーが電極４６ｄ上の操作キー４５ｄを押下したときに手指が配線７１ｃ上に接触すると、電極４６ｃ及び電極４６ｄがオン状態にあると制御部２０に信号を送る。
【００４８】
この時、制御部２０は電極４６ｄ上の操作キー４５ｄが操作されたと判断する。これにより、ユーザーが意図していない電極４６ｃの操作に基づく動作を防止し、操作パネル４０の誤操作を防止することができる。
【００４９】
なお、オン状態又はオフ状態の判定はセンサ素子７３が行わなくても、制御部２０で行ってもよい。この場合、センサ素子７３は検出した電極の静電容量の変化量を制御部２０に送り、制御部２０は静電容量の変化量が所定の閾値を超えるか否かを判定してオン状態にあると判定した電極の操作に基づく動作を行う。
【００５０】
本実施形態によると、電極４６ａ〜４６ｄが左右方向に並設され、各電極４６ａ〜４６ｄから導出される配線７１ａ〜７１ｄが左方に延びる。そして、複数の電極４６ａ〜４６ｄのオン状態を検出した際に、左方の電極の操作と判断する。例えば、電極４６ａ（第１電極）及び電極４６ｂ（第２電極）のオン状態が検出されると、電極４６ａから配線７１ａ（第１配線）が延びる方向に配される電極４６ｂの操作と判断する。
【００５１】
これにより、所望の電極（第２電極）の操作時に手指が右方に隣接する電極（第１電極）の配線（第１配線）に接触または近接してもユーザーが意図していない電極（第１電極）の操作と判断されない。従って、操作パネル４０の誤操作を防止することができる。
【００５２】
また、配線７１ａ〜７１ｄが電極４６ａ〜４６ｄの下方に配されると、所望の電極４６ａ〜４６ｄの操作時に掌等が隣接する電極４６ａ〜４６ｄの配線７１ａ〜７１ｄ上に近接する。この時、操作された電極４６ａ〜４６ｃの左方に配された電極４６ｂ〜４６ｄがオン状態と検出される場合がある。このため、配線７１ａ〜７１ｄを電極４６ａ〜４６ｄの上方に配することにより、操作パネル４０の誤操作をより確実に防止することができる。
【００５３】
また、隣接する配線７１ａ〜７１ｄの間に接地線７０が設けられる。このため、配線７１ａ〜７１ｂ上に接触した手指が接地線７０上に接触し、配線７１ａ〜７１ｂの静電容量の変化量を低減することができる。これにより、電極４６ａ〜４６ｄからずれた手指が配線７１ａ〜７１ｄに接触または近接しても、意図しない電極のオン状態と判断されない。従って、操作パネル４０の誤操作をより確実に防止することができる。
【００５４】
また、フレキシブル基板から成る電極シート４６は配線７１ａ〜７１ｄ上で屈曲され、配線コネクタ７２を介して回路基板４８上のセンサ素子７３に接続されている。これにより、配線７１ａ〜７１ｄが集中する配線コネクタ７２近傍がタッチ面から遠ざけられ、手指が複数の配線７１ａ〜７１ｄ上に接触する可能性を低減できる。従って、操作パネル４０の誤操作をより確実に防止することができる。
【００５５】
また、電極４６ａ〜４６ｄの中心から隣接する電極４６ａ〜４６ｄの端縁までの距離Ｄがタッチ操作される通常の手指の幅Ｗの１／２の長さよりも大きい。これにより、隣接する電極４６ａ〜４６ｄに手指が同時に接触することを防止し、右方の電極４６ａ〜４６ｃの操作時に左方の電極４６ｂ〜４６ｄの操作誤認されることを防止できる。
【００５６】
本実施形態において、複数の電極４６ａ〜４６ｄの静電容量が変化した際に、センサ素子７３が複数の電極４６ａ〜４６ｄのオン状態の信号を送信している。これに対し、複数の電極４６ａ〜４６ｄの静電容量が変化した際に、右方の電極４６ａ〜４６ｃがオン状態とならないように左方の電極４６ｂ〜４６ｄよりもセンサ素子７３の感度を低くしてもよい。センサ素子７３の感度は閾値を高くすること若しくは増幅率を低くすることにより実現できる。
【００５７】
例えば、電極４６ａ（第１電極）及び電極４６ｂ（第２電極）の静電容量が変化した際に、センサ素子７３から電極４６ｂのオン状態の信号が送信される。この時、電極４６ａはセンサ素子７３の感度が低いためオフ状態と判断され、センサ素子７３から電極４６ａのオン状態の信号が送信されない。
【００５８】
従って、ユーザーが意図していない電極（第１電極）の操作と判断されないため、操作パネル４０の誤操作を防止することができる。
【００５９】
＜第２実施形態＞
図１０は第２実施形態に係る電極シート４６の一部を示す平面図である。第１実施形態と同様の部分には同一符号を付して説明を省略する。第１実施形態に対して第２実施形態は電極４６ａ〜４６ｄが上下方向に並設されており、下方から電極４６ａ、電極４６ｂ、電極４６ｃ、電極４６ｄの順に並んでいる。
【００６０】
また、制御部２０はオン状態にあると信号を受けた複数の電極のうち上方に配される電極の操作と判断する。
【００６１】
例えば、ユーザーが電極４６ｂ上の操作キー４５ｂを押下したときに手指が電極４６ａに接触すると、電極４６ｂ及び電極４６ａがオン状態にあると制御部２０に信号を送る。
【００６２】
この時、制御部２０は電極４６ｂ上の操作キー４５ｂが操作されたと判断する。これにより、ユーザーが意図していない電極４６ａの操作に基づく動作を防止し、操作パネル４０の誤操作を防止することができる。
【００６３】
なお、本実施形態においても、オン状態又はオフ状態の判定はセンサ素子７３が行わなくても、制御部２０で行ってもよい。この場合、センサ素子７３は検出した電極の静電容量の変化量を制御部２０に送り、制御部２０は静電容量の変化量が所定の閾値を超えるか否かを判定してオン状態にあると判定した電極の操作に基づく動作を行う。
【００６４】
また、配線７１ａ〜７１ｄが電極４６ａ〜４６ｄから下方に延びると、所望の電極４６ａ〜４６ｄの操作時に掌等が上方に配される電極４６ａ〜４６ｄの配線７１ａ〜７１ｄ上に近接する。この時、操作された電極４６ａ〜４６ｃの上方に配された電極４６ｂ〜４６ｄがオン状態と検出される場合がある。このため、配線７１ａ〜７１ｄを電極４６ａ〜４６ｄの上方に延ばすことにより、操作パネル４０の誤操作をより確実に防止することができる。
【００６５】
なお、操作パネル４０のタッチ面が前後方向に傾斜又は倒して配される場合、配線７１ａ〜７１ｄを電極４６ａ〜４６ｄから奥側に延ばすことにより同様の効果が得られる。また、電極４６ａ〜４６ｄを前後方向に並設した場合、制御部２０はオン状態にあると信号を受けた複数の電極のうち奥側に配される電極の操作と判断する。
【００６６】
本実施形態によると、電極４６ａ〜４６ｄが前後方向または上下方向に並設され、複数の電極４６ａ〜４６ｄのオン状態を検出した際に、上方の電極の操作と判断する。例えば、電極４６ａ（第１電極）及び電極４６ｂ（第２電極）のオン状態が検出されると、電極４６ａよりも奥側又は上方に配される電極４６ｂの操作と判断する。
【００６７】
これにより、所望の電極（第２電極）の操作時に手指が下方に隣接する電極に接触または近接してもユーザーが意図していない電極（第１電極）の操作と判断されない。従って、操作パネル４０の誤操作を防止することができる。
【００６８】
本実施形態において、複数の電極４６ａ〜４６ｄの静電容量が変化した際に、センサ素子７３が複数の電極４６ａ〜４６ｄのオン状態の信号を送信している。これに対し、複数の電極４６ａ〜４６ｄの静電容量が変化した際に、下方の電極４６ａ〜４６ｃがオン状態とならないように上方の電極４６ｂ〜４６ｄよりもセンサ素子７３の感度を低くしてもよい。センサ素子７３の感度は閾値を高くすること若しくは増幅率を低くすることにより実現できる。
【００６９】
例えば、電極４６ａ（第１電極）及び電極４６ｂ（第２電極）の静電容量が変化した際に、センサ素子７３から電極４６ｂのオン状態の信号が送信される。この時、電極４６ａはセンサ素子７３の感度が低いためオフ状態と判断され、センサ素子７３から電極４６ａのオン状態の信号が送信されない。
【００７０】
従って、ユーザーが意図していない電極（第１電極）の操作と判断されないため、操作パネル４０の誤操作を防止することができる。
【００７１】
＜第３実施形態＞
図１１は第３実施形態に係る電極シート４６の概略平面図である。第１実施形態と同様の部分には同一符号を付して説明を省略する。第１実施形態に対して第３実施形態は左右方向に並設された電極４６ａ〜４６ｄ、電極４６ｅ〜４６ｈ、電極４６ｉ〜４６ｌ、電極４６ｍ〜４６ｐが上下方向に並設されている。
【００７２】
また、配線７１ａ〜７１ｄは電極４６ａ〜４６ｄの上方に導出されて左方向に延びている。同様にして、配線７１ｅ〜７１ｈ、配線７１ｉ〜７１ｌ、配線７１ｍ〜７１ｐも電極４６ａ〜４６ｄの上方に導出され、左方向に延びている。
【００７３】
また、制御部２０が最も上段に配される電極４６ａ〜４６ｄの中から複数の電極のオン状態の信号を受けた場合、第１実施形態と同様に左方（各電極４６ａ〜４６ｄから導出された配線７１ａ〜７１ｄが延びる方向）に配される電極の操作と判断する。
【００７４】
また、上下方向に並設された電極のうち同一列に配された電極４６ｄ、４６ｈ、４６ｌ、４６ｐで構成される電極群の中から複数のオン状態の信号を受けた場合、第２実施形態と同様に上方に配される電極の操作と判断する。
【００７５】
なお、電極４６ｃ、４６ｇ、４６ｋ、４６ｏが上下方向に並設されて構成される電極群、電極４６ｂ、４６ｆ、４６ｊ、４６ｎが上下方向に並設されて構成される電極群、電極４６ａ、４６ｅ、４６ｉ、４６ｍが上下方向に並設されて構成される電極群においても制御部２０が複数の電極のオン状態の信号を受けた場合、上方に配される電極の操作と判断する。
【００７６】
これにより、制御部２０が上下方向及び左右方向にマトリックス状に並設された電極４６ａ〜４６ｐにおいてユーザーが意図していない電極の操作に基づく動作を防止し、操作パネル４０の誤操作を防止することができる。
【００７７】
なお、本発明は、第１〜第３実施形態に限定されず、本発明の趣旨を逸脱しない範囲で種々の変更が可能である。例えば、導光板５０を省いて操作パネル４０を薄型化してもよい。
【産業上の利用可能性】
【００７８】
本発明によると、操作パネルを備えた冷蔵庫、電子レンジ、洗濯機等の電気機器に利用することができる。
【符号の説明】
【００７９】
１                  冷蔵庫
２                  断熱箱体
３                  冷蔵室
４                  冷凍室
５、６、７、８      扉
１１                ガラス板
２０                制御部
２６                記憶部
３０                収納室
４０                操作パネル
４１                表示部
４２                表示パネル
４３                表示アイコン
４４                光源
４５                操作部
４５ａ〜４５ｄ      操作キー
４６                電極シート
４６ａ〜４６ｐ      電極
４７                調光シート
４８                回路基板
４９                スペーサ
４９                開口部
５０                導光板
５０ａ              入射面
５１                光源
７０                接地線
７１ａ〜７１ｐ      配線
７２                配線コネクタ
７３                センサ素子
７４                接地領域
Ｄ                  距離
Ｗ                  幅
【図１】
2018054261.tif 000003
【図２】
2018054261.tif 000004
【図３】
2018054261.tif 000005
【図４】
2018054261.tif 000006
【図５】
2018054261.tif 000007
【図６】
2018054261.tif 000008
【図７】
2018054261.tif 000009
【図８】
2018054261.tif 000010
【図９】
2018054261.tif 000011
【図１０】
2018054261.tif 000012
【図１１】
2018054261.tif 000013